(57)【要約】      （修正有）【課題】  惣菜類の商品販売時の手数の削減と販売用資材の節減を図り、販売コストの低減を可能とする包装袋を提供する。【解決手段】  プラスチックフィルム５により形成され一端が開口されたバッグであって、その底部はプラスチックフィルム（底部フィルム２）に吸湿性シート３を積層してバッグ１の幅方向に山折りにより２つ折りされてその両端がバッグ１側縁にヒートシール４、４されており、惣菜等の商品収納時に前記吸湿性シート３および底部フィルム２が平坦状に展張してその吸湿性シート３の上面で惣菜類を受け止めるとともにバッグ１に自立性が与えられるようにしたことにある。【選択図】  図１
2006298450.tif 000002
【特許請求の範囲】
【請求項１】
プラスチックフィルムにより形成され一端が開口されたバッグであって、その底部はプラスチックフィルムに吸湿性シートを積層してバッグの幅方向に山折りにより２つ折りされてその両端がバッグの側縁にヒートシールされており、惣菜等の商品収納時に前記吸湿性シートおよび底部のプラスチックフィルムが平坦状に展張してその吸湿性シート面で商品を受け止めるとともにバッグに自立性が与えられるようになされていることを特徴とする包装袋。
【請求項２】
前記吸湿性シートが不織布である請求項１記載の包装袋。
【請求項３】
前記バッグを構成するプラスチックフィルムが透明フィルムである請求項１または２記載の包装袋。
【請求項４】
前記バッグの口部内面に、粘着、ファスナ等により接合する封止部が形成されている請求項１〜３のいずれか１項記載の包装袋。
【発明の詳細な説明】
【技術分野】
【０００１】
本発明は、惣菜類の販売時に用いられる包装袋に関する。
【背景技術】
【０００２】
スーパーマーケットやコンビニエンスストアをはじめ、デパートの食品売場などにおいて、天ぷら、各種フライ物、その他油分や汁を含む惣菜類を販売する際にショーバッグと称されるプラスチックフィルム製の小袋に惣菜類を収納して顧客に提供するようになされている。
【０００３】
上記惣菜類の包装に際しては、惣菜類を舟形の紙製トレーに入れ、そのトレーごとショーバッグに収納するか、あるいは油切り用の不織布を入れた上に惣菜類を収納する包装形態が一般に採られている。
【０００４】
したがって従来から用いられているショーバッグは、平面的なトレーや不織布をショーバッグの底部に入れるため、ショーバッグ自体をガゼット付きの角底袋とし、これにトレーや不織布を納めて自立性を与える構造が採用されている。
【０００５】
しかるに上記のようにショーバッグ自体を角底構造とすることは、製造工程が複雑化すると同時にバッグの構成素材の使用量が増し、勢いコスト高になるという問題点があった。
【特許文献１】特開２００１−１９９４５１号公報
【発明の開示】
【発明が解決しようとする課題】
【０００６】
本発明は、角底構造とせずとも自立性を与えることができるとともに、トレーや不織布を用意したうえで惣菜類を収納する必要がなく、販売時の手数の削減と資材の節減を図り、販売コストの低減を可能とする包装袋を提供することを課題としてなされたものである。
【課題を解決するための手段】
【０００７】
上記課題を解決する手段として本発明は、プラスチックフィルムにより形成され一端が開口されたバッグであって、その底部はプラスチックフィルムに吸湿性シートを積層してバッグの幅方向に山折りにより２つ折りしてその両端をバッグの側縁にヒートシールしてなり、惣菜類の商品収納時に前記吸湿性シートおよび底部のプラスチックフィルムが平坦状に展張してその吸湿性シート面で商品を受け止めるとともにバッグに自立性が与えられるようにしたことにある。
【０００８】
前記吸湿性シートとしては適宜な資材を用いることができるが、不織布を用いることがシール性、吸湿性、無臭性等の点から最も好ましい。
【０００９】
またバッグを構成するプラスチックフィルムは、内容物が透視できるよう透明フィルムで構成することが望ましい。
【００１０】
さらに前記バッグの口部内面に、粘着、ファスナ等により接合する封止部を設けることが開口部を確実に閉鎖させるうえで望ましい。
【発明の効果】
【００１１】
本発明によれば、バッグの開口部から惣菜類の商品を収納することにより吸湿性シートおよび底部フィルムが平坦状に展張して受け入れることができるので、トレー等に惣菜類を入れてバッグに収納させる必要がなく、店頭やバックヤード等での迅速な包装が可能となり、顧客の待ち時間をそれだけ短くすることができる。
【００１２】
またトレー等を必要としないので、包材費が少くてすみ、販売コストを大幅に低減することができる。
【００１３】
さらに商品を収納することで吸湿性シートおよび底部フィルムが平坦状に展張することによりガゼット付きとせずともバッグの下部が立体的な形態となって自立性が与えられ、包装後立てて置くことができ、取り扱い上至極便利な包装袋とすることができる。
【発明を実施するための最良の形態】
【００１４】
図１は本発明による包装袋としてのショーバッグの商品収納時の形態を示し、図２は未使用時の正面図、図３（Ａ）はその中央縦断面図、同（Ｂ）は使用時（図１）の中央縦断面図を示している。
【００１５】
バッグ１は、透明な熱融着可能なプラスチックフィルムにより形成され、その底部は底部フィルム２に吸湿性シートとしての不織布３が積層されてバッグ１の幅方向に山折りにより２つ折りされ、その両端はバッグ１の側縁のシールと一緒にヒートシール４、４により一体化されてバッグ１の底が形成されており、惣菜等の商品を口部１ａから収納することにより不織布３および底部フィルム２が平坦状に展張して商品を受け止めるとともに底が広がって立体化され、自立性が与えられるようになされている。
【００１６】
上記バッグ１の製造に際しては、図４（Ａ）〜（Ｄ）に一例を示す工程により容易に製造することができる。
【００１７】
すなわち所要幅Ｌ１を有する透明プラスチックフィルム５を矢印Ｐ方向に送り、その中央に所要幅Ｌ２を有する不織布３を積層して送る。
【００１８】
上記プラスチックフィルム５および不織布３をバッグ１の幅Ｌ３相当の位置で裁断するとともにプラスチックフィルム５と不織布３とが積層されている領域の中央６で山折り状に２つ折りし（図４（Ｂ）示）、次いでプラスチックフィルム５の他辺を折り重ねる（図４（Ｃ）示）。
【００１９】
その後両側縁にヒートシール４、４を施して側部を封止することにより口部１ａが開口されたバッグ１を形成することができる（図４（Ｄ）示）。
【００２０】
なお図１〜図３においては、バッグ１の口部１ａを封止するためのファスナあるいは粘着糊による封止部７を設けた場合を示している。
【００２１】
したがって店頭においてバッグ１の口部１ａから惣菜類を収納すれば、吸湿性シートである不織布３および底部フィルム２が平坦状に展張して受け入れるので、安定した状態に収納することができ、かつ惣菜類の油分や汁が不織布３に吸収されるので惣菜類の風味を損うことがない。
【００２２】
また惣菜類を収納することにより不織布３および底部フィルム２が展張するのでバッグ１の下端が広がって平坦状となり、自立性が生じ、取り扱い上使いやすい形態となる。
【００２３】
なお吸湿性シートとしては不織布３に限らず、吸湿性のある紙、そのほかの資材であってもよい。
【００２４】
なお、上述の説明において、包装袋の一形態としてショーバッグを例にとり説明したが、本願発明の包装袋としては、ショーバッグに限らず、買い物袋等の搬送用の包装袋であってもよい。
【００２５】
また、本願発明の説明において用いた吸湿性シートという用語は、水分のみを吸収可能であるということを意味するのではああなく、水分以外の他の成分である魚類や肉類からしみ出るドリップや天ぷら等の油などをも吸収可能であることを意味する。
【００２６】
また、上述の説明において、包装袋を構成するプラスチックフィルムとして透視できるように透明フィルムを例にとり説明したが、本願発明の包装袋としては、両側面が透明なフィルムであってもよく、片側面のみが透明なフィルムであってもよく、あるいは両側面が不透明なフィルムであって中身を透視できず開口部からのみ内部を見ることが可能なものであってもよい。
【００２７】
また、上述の説明において、包装袋の一形態として封止部７の備える例を示したが、本願発明の包装袋としては、封止部７を有しない場合であってもよい。
【図面の簡単な説明】
【００２８】
【図１】本発明による包装袋の一実施形態の底部を広げた状態を示す斜視図。
【図２】同、未使用時の正面図。
【図３】（Ａ）、（Ｂ）は同未使用時および使用時の各略示断面図。
【図４】（Ａ）〜（Ｄ）は本発明による包装袋の製造の仕方の一例を示す工程説明図。
【符号の説明】
【００２９】
１  バッグ
１ａ  口部
２  底部フィルム
３  不織布（吸湿性シート）
４  ヒートシール
５  プラスチックフィルム
７  封止部
【図１】
2006298450.tif 000003
【図２】
2006298450.tif 000004
【図３】
2006298450.tif 000005
【図４】
2006298450.tif 000006